(57)【要約】【課題】セキュリティー上の問題点を解消すると共に電池交換作業の能率の向上を図ること。【解決手段】錠前の駆動源を制御する制御部と、制御部に信号を入力するための入力部と、駆動源の駆動力により駆動する施・解錠手段と、施・解錠手段を介して錠前の錠箱から出没する施錠片と、建具の壁面に取付けられる取付け本体に装着されかつ制御部に給電する電源手段とを備える錠前用給電システムに於いて、電源手段は、取付けベース板と、取付けベース板の内面に固定された電源ボックスとから成り、取付け本体の内面に開口された電源収納部としての凹所内に電源ボックスが位置するように着脱自在に固定される。【選択図】図３
2008174994.tif 000002
【特許請求の範囲】
【請求項１】
錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、建具の壁面に取付けられる取付け本体に装着され、かつ、少なくとも前記制御部に給電する電源手段とを備える錠前用給電システムに於いて、前記電源手段は、取付けベース板と、この取付けベース板の内面に固定された電源ボックスとから成り、前記取付け本体の内面に開口された電源収納部としての凹所内に前記電源ボックスが位置するように着脱自在に固定されることを特徴とする錠前用給電システム。
【請求項２】
請求項１に於いて、建具は開閉体であり、一方、取付け本体は、この開閉体の壁面に固定される操作部材用の取付け座であることを特徴とする錠前用給電システム。
【請求項３】
請求項１に於いて、凹所の内壁底面に板状保持部材が固定され、電源手段の装着時、電源ボックスに内装された電源の外面が該板状保持部材に接触状態で保持されることを特徴とする錠前用給電システム。
【請求項４】
錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、建具の壁面に取付けられる取付け本体に装着され、かつ、少なくとも前記制御部に給電する電源手段とを備える錠前用給電システムに於いて、前記電源手段は、複数本の取付け柱を有する取付けベース板と、この取付けベース板の内面に固定された電源ボックスとから成り、前記取付け本体の内面に開口された電源収納部としての凹所内に前記電源ボックスが位置するように前記取付け柱を介して着脱自在に圧着固定されることを特徴とする錠前用給電システム。
【請求項５】
錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、建具の壁面に取付けられる取付け本体に装着され、かつ、少なくとも前記制御部に給電する電源手段とを備える錠前用給電システムに於いて、前記電源手段は、前記取付け本体に基端部が枢着された取付けベース板と、この取付けベース板の内面に固定された電源ボックスとから成り、前記取付け本体の内面に開口された電源収納部としての凹所内に前記電源ボックスが位置するように前記取付けベース板の自由端部が前記取付け体に着脱自在に係脱することを特徴とする錠前用給電システム。
【請求項６】
錠前と、この錠前の駆動源を制御する制御部と、この制御部に信号を入力するための入力部と、前記駆動源の駆動力により駆動するロック手段と、このロック手段によりロックされ又はそのロックが解消する施・解錠手段と、この施・解錠手段に連結されている操作部材と、建具の壁面に取付けられる取付け本体に装着され、かつ、少なくとも前記制御部に給電する電源手段とを備える錠前用給電システムに於いて、前記電源手段は、取付けベース板と、この取付けベース板の内面に固定された電源ボックスとから成り、前記取付け本体の内面に開口された電源収納部としての凹所内に前記電源ボックスが位置するように着脱自在に固定されることを特徴とする錠前用給電システム。
【発明の詳細な説明】
【技術分野】
【０００１】
本発明は、錠前用給電システムに関し、特に電気錠用の給電システムの関する。
【背景技術】
【０００２】
特許文献１と特許文献２には、「扉に取付けられる錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、扉の壁面に取付けられる取付け本体に装着され、かつ、少なくとも前記制御部に給電する電源手段とを備える錠前用給電システム」が記載され、或いは示唆されている。
【０００３】
しかして、前記特許文献１の錠前用給電システムの電源手段は、ハンドル用の取付け座の下端部側に電源（電池）が内装され、該電源は、取付け座を構成する外壁面の一部にスライド自在に設けられた電源カバーを取り外すことによって交換可能である。また、前記特許文献２の錠前用給電システムの電源手段は、例えば図４に記載されているように錠箱に内装されている。
【０００４】
ところで、特許文献１は、第三者が電源カバーを簡単に取り外すことができることから、セキュリティー上の問題点がある。また、取付け座の外壁面に電源カバーが見えることから、電源の収納されている位置が容易に判る。さらに、意匠上の美観も考慮する必要性もある。一方、特許文献２は、電源が錠箱に内装されているので、特許文献１の問題点を解消することはできるものの、錠箱を扉から外し、さらに錠箱から電源を取り外して交換する行為は手間と時間がかかり過ぎるという問題点がある。
【特許文献１】特許公開９−２６４０８４号公報
【特許文献２】特許公開２０００−７３６３４号公報
【発明の開示】
【発明が解決しようとする課題】
【０００５】
本発明の第１の目的は、使用状態に於いて、外観上、外部から電源の収納されている位置を判別することができない（電源が無断に抜き取られない）ことである。第２の目的は、取付け本体を建具の壁面から外した場合に於いて、取付け本体から電源手段を極めて簡単に脱着することができることである。第３の目的は、使用時に於いて、建具が振動しても電源手段が取付け本体に対してガタガタしないこと、電源が電源手段の電源ボックスの電極からずれないこと等である。その他の目的は、取付け本体と電源手段の係合或いは嵌合方式の脱着構成に関して、係合（嵌入）部分の耐久性やシンプル化を図ることである。
【課題を解決するための手段】
【０００６】
本発明の錠前用給電システムは、錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、建具の壁面に取付けられる取付け本体に装着され、かつ、少なくとも前記制御部に給電する電源手段とを備える錠前用給電システムに於いて、前記電源手段は、取付けベース板と、この取付けベース板の内面に固定された電源ボックスとから成り、前記取付け本体の内面に開口された電源収納部としての凹所内に前記電源ボックスが位置するように着脱自在に固定されることを特徴とする。
【０００７】
また、本発明の錠前用給電システムは、錠前と、この錠前の駆動源を制御する制御部と、この制御部に信号を入力するための入力部と、前記駆動源の駆動力により駆動する施・解錠手段と、この施・解錠手段を介して前記錠前の錠箱から出没する施錠片と、建具の壁面に取付けられる取付け本体に装着され、かつ、少なくとも前記制御部に給電する電源手段とを備える錠前用給電システムに於いて、前記電源手段は、前記取付け本体に基端部が枢着された取付けベース板と、この取付けベース板の内面に固定された電源ボックスとから成り、前記取付け本体の内面に開口された電源収納部としての凹所内に前記電源ボックスが位置するように前記取付けベース板の自由端部が前記取付け体に着脱自在に係脱することを特徴とする。
【０００８】
さらに、本発明の錠前用給電システムは、錠前と、この錠前の駆動源を制御する制御部と、この制御部に信号を入力するための入力部と、前記駆動源の駆動力により駆動するロック手段と、このロック手段によりロックされ又はそのロックが解消する施・解錠手段と、この施・解錠手段に連結されている操作部材と、建具の壁面に取付けられる取付け本体に装着され、かつ、少なくとも前記制御部に給電する電源手段とを備える錠前用給電システムに於いて、前記電源手段は、取付けベース板と、この取付けベース板の内面に固定された電源ボックスとから成り、前記取付け本体の内面に開口された電源収納部としての凹所内に前記電源ボックスが位置するように着脱自在に固定されることを特徴とする。
【０００９】
ここでの「着脱自在」は、取付け本体に対して電源手段の全体が簡単に外れること、又は、取付け本体に対して電源手段の自由端部が簡単に外れることを意味する。
また、ここで「建具の壁面」は、開閉体の外壁面（又は内壁面）、戸枠側の外壁面（又は内壁面）のいずれかを意味する。
【発明の効果】
【００１０】
（１）使用状態に於いて、電源の収納されている位置を判別することができない。したがって、電源が無断に抜き取られないことから、セキュリティー上の問題点を解消することができる。
（２）取付け本体を建具の壁面から外した場合に於いて、取付け本体から電源手段を極めて簡単に抜き取ることができる。また、取付け本体に対する電源手段の装着も容易である（脱着の容易性）。したがって、電池交換作業の能率の向上を図ることができる。
【発明を実施するための最良の形態】
【００１１】
以下、図１乃至図１０に示す本発明を実施するための最良の形態（第１実施例）により説明する。
【００１２】
（１）発明の実施の環境
図１は発明の実施の環境を示す概略説明図である。図１に於いて、１は水平方向へ直線移動する引戸、水平方向に回転する扉など建具としての開閉体、１ａは開閉体１の外壁面である。なお、本実施例の開閉体１は扉であるが、引戸であっても良い。
【００１３】
一方、２は建具としての戸枠側の壁で、戸枠側の扉１の自由端部と対向する適宜部位には、受け金具３が固定的に設けられている。
【００１４】
次に、Ｘは本発明の錠前用給電システムで、この給電システムＸは、扉１の自由端部に取付けられた（例えば内装された）錠前４と、この錠前の４の錠箱４ａ（右側の概念図）内に支持部材を介して配設された駆動モータ、ソレノイド等の駆動源５と、たとえば錠箱４ａ内にプリント基板を介して設けられ、かつ、前記駆動源５を制御する制御部６と、例えば扉１の外壁面１ａの所定位置に固定的に配設された無線方式、テンキー方式、音声方式、人体部位等の入力部７と、前記錠箱４ａに内装され、前記駆動源５の駆動力により駆動する駆動アーム、ダルマ等の施・解錠手段８と、この施・解錠手段８を介して前記錠箱４ａのフロントから出没する施錠片９と、建具の壁面（本実施例では扉１の外壁面１ａ）に取付けられる取付け本体（本実施例では操作部材用の取付け座板）１０と、この取付け本体１０の電源収納部に装着され、かつ、少なくとも前記制御部６に給電する電源手段１１とから構成されている。
【００１５】
しかして、本発明の前記電源手段１１は、複数本の取付け柱を有する取付けベース板と、この取付けベース板の内面に固定された電源ボックスとから成り、前記取付け本体の内面の上部側又は下部側に開口された電源収納部としての凹所内に前記電源ボックスが位置するように前記取付け柱を介して着脱自在に固定される。
【００１６】
（２）取付け本体１０
図２は内壁面側に電源手段１１を装着した取付け本体１０の正面視からの概略説明図、図３は主要部の縦断面概略説明図である。一方、図４は取付け本体１０の電源収納部から電源手段１１を引き抜いた状態の概略説明図である。また、図５は取付け本体１０の要部を内面（背面）側から見た説明図である。
【００１７】
まず、図２乃至図５を参照にして取付け本体１０を説明する。符号１０は、本実施例では扉１の外壁面１aに複数本の固着具を介して固定される操作部材１２用の取付け座である。この取付け座１０は、扉１の内壁面に固着しても良い。また、前記操作部材１２は、Ｌ型形状のレバーハンドルであるが、ノブやサムターンであっても良い。さらに、取付け座１０は、長座であるが、円座であっても良い。
【００１８】
しかして、１０ａ外壁面、１０ｂは内壁面（内面）、１０ｃは周壁面である。外側の取付け座１０は、中央部に外側レバーハンドル１２用の軸孔１３を有している。この軸孔１３を基準として、下部側の適宜箇所にはシリンダー錠１４が装着されている（なお、外側の取付け座の場合にはシリンダー錠は任意である）。
【００１９】
一方、上部側の内面１０ｂには、電源収納部としての凹所１５が形成されている。この電源収納部（凹所）１５は、図４で示すように、横向き凹所１５の内壁底面１５ａから開口側に環状に突出する軸受け部１６と、図５を基準とすると、環状軸受け部１６の上部側の左右にそれぞれ臨むように位置し、かつ、凹所１５の段差状の左右内壁側面１５ｂ、１５ｂから内部方向へと水平突出する左右一対の指先状支持部１７と、凹所１５のやや傾斜状上側内壁面１５ｃと、内面１０ｂの上端面の中央部で、かつ、前記上側内壁面１５ｃの中央縁部に至るように下向きコ字形状に形成された浅い切欠部分１８によって画定される。したがって、電源収納部１５は、取付け座１０の上部内面の横向き段差状凹所である。
【００２０】
ところで、取付け座１０の内面１０ｂ、本実施例では、左右一対の指先状支持部１７及び浅い切欠部分１８の内面に、凹所１５の深さ方向に電源手段１１の取付け柱がそれぞれ嵌入する合計３個の支持穴１９が形成されている。
【００２１】
（３）電源手段１１
図６は、電源手段１１の分解説明図、図７は電源（例えば単三電池）２７側から見た電源手段１１の説明図、図８は図７の左側面視からの説明図、図９は電源手段１１が取付け本体１０に対して脱着自在に圧着固定される旨の説明図、図１０は電源手段１１を装着した場合における取付け本体１０の内面側から見た状態の説明図である。
【００２２】
次に、図６乃至図１０を参照にして電源手段１１の構成を説明する。前述したように、電源手段１１は、複数本の取付け柱２３を有する取付けベース板２１と、この取付けベース板２１の内面に固定された電源ボックス２２とから成る。そして、本実施例の電源手段１１は、図３で示すように取付け本体１０の内面に開口された電源収納部１５に前記電源ボックス２２が位置するように前記取付け柱２３を介して着脱自在に圧着固定される。
【００２３】
（４）取付けベース板２１
例えば図３、図１０で示すように、取付けベース板２１は、凹所１５の手前側の段差面に収まるように突片部分を有する矩形板状に形成されている。なお、図３では、取付け本体１０の内面１０ｂに添設される内側プレート２０を示しているが、この内側プレート２０は本発明の特定要件ではない。取付けベース板２１の全体が取付け本体１０の内面１０ｂに収まる大きさに形成すると、取付け本体１０の内面１０ｂが直接扉１の外壁面１ａに接触する。
【００２４】
そこで、図１０を参照にして取付けベース板２１の構成を説明する。図１０に於いて、２１ａは電源ボックス２２用の装着部分で、この装着部分２１ａは略矩形状であり、中央部には外方向に突出する橋状の把手部分２１ｂが形成されている。この把手部分２１ｂの左右の部位には、縦長の切欠部分２１ｃが形成されている。また、装着部分２１ａの適宜箇所には電源ボックス２２の電源側の結線用のコードを案内する案内切欠２１ｄが形成されている。さらに、取付けベース板２１の下端部の左右と上端部の中央部には、それぞれ外方向に突出する突片部分２１ｅが形成され、これらの内面に水平方向に突出する取付け柱２３がそれぞれカシメ固定されている。
【００２５】
ところで、合計３個の取付け柱２３は、取付け本体１０の支持穴１９にそれぞれ脱着するが、本実施例では、図３で示すように取付けベース板２１の取付け柱２３を取付け本体１０の支持穴１９に嵌め込んだときに、扉１の振動等により容易に取付け本体１０から外れないように圧着手段２５を備えている。圧着手段２５は、全ての取付け柱２３に装着しても良いが、少なくとも取付け柱２３の一つに装着するのが望ましい。本実施例では、図６で示すように、取付け体１０の上端部の中央部の支持穴１９に嵌入する取付け柱２３に嵌合溝２３ａを周設し、この環状嵌合溝２３ａに弾性リング２５を固定的に嵌め込んでいる。
【００２６】
（５）電源ボックス２２
図７は電池側から見た電源手段１１の説明図であるが、本実施例の電源ボックス２２は、取付け本体１０の凹所１５の内壁底面１５ａに一体的に固定されていない。換言すると、取付けベース板２１の橋状の把手部分２１ｂを摘んで引っ張ると、電源手段１１を取付け本体１０から直ちに取り外すことができる。そして、前記取付け本体１０の前記内壁底面１５ａに電源ボックス２２に対する蓋体の役割を果たさせている。
【００２７】
そこで、電源ボックス２２の構成を説明する。電源ボックス２２は、図４で示すように、取付け本体１０の凹所１５の内壁底面１５ａに対向する側が矩形状に開口２６している。この開口２６の内部（電源ボックスの内部）には、合計４本の電源２７をそれぞれ装着できるように３枚の仕切り壁２８が設けられている。そして、不番の左右の側壁内面には、周知のように電池２７の電極に接触する一対の電極端子（小突起と保持バネ）２９が配設されている。また、電源ボックス２２は前記電極端子２９に電気的に接続する結線用コード３０を有し、この結線用コード３０は案内切欠２１ｄを介して外部に案内される。
【００２８】
（６）電源手段１１の脱着
本実施例の電源手段１１は、まず、取付け本体１０を扉の外壁面から取り外す必要がある。従来のように、取付け本体１０の外壁面側の電源ボックス用のカバーを開いたり、或いは外したり、或いはまたスライドしたりするものではない。
【００２９】
次に、取付け本体１０を扉１から外したら、取付けベース板２１の橋状把手部分２１ｂを摘んで手前に引っ張る。そうすると、取付けベース板２１の取付け柱２３が取付け本体１０の支持穴１９から外れる。その際、一つの取付け柱２３の弾性リング２５は、支持穴１９の内周面を摺接する。このように、取付け本体１０から電源手段１１を簡単に取り外し、電源交換をすることができる。
【実施例】
【００３０】
発明の実施の形態で示した実施例は、電源手段１１の脱着構成として、耐久性や構造のシンプル性を考慮し、金属製の取付け本体１０に複数個の支持穴（係合穴）１９を形成し、一方、電源手段１１の金属製取付けベース板２１に前記支持穴１９に係合する複数本の取付け柱（係合柱）２３を設けた。
【００３１】
この係合或いは嵌合方式の脱着構成に関して、係合部分の耐久性を考慮しないのであれば、例えば取付け本体１０の内面の凹所の縁部の適宜箇所に所定間隔を有して複数個の係合小突片を形成し、一方、取付けベース板２１の縁部の適宜箇所に前記係合小突片に係合する弾性の係合爪を複数個形成することによっても可能である。
【００３２】
また、実施例では、３個の取付け柱２３の一つに弾性の圧着手段（弾性リング）２５を固定的に嵌着したが、その圧着手段２５も適宜に設計変更可能である。例えば部品点数が多くなること、構造が複雑になる等の問題点を考慮しないのであれば、圧着手段を付勢バネと可動の小圧接玉とで構成しても良い。この場合には、取付け本体に支持穴１９に直交する収納穴を設け、該収納穴に付勢バネと付勢バネによって支持穴１９側に付勢される可動小圧接玉を適宜に組み込む。そして、可動小圧接玉は収納穴の縁部に周設された係合爪にその一部が露出するように支持される構成とする。
【００３３】
次に、図１１乃至図１３は、実施の形態で示した実施例に対して、さらに構成要件を加味した第２実施例である（重複部分は援用する。また同一構成の符号は便宜上、第１実施例と同じ）。
【００３４】
この第２実施例が第１実施例と主に異なる事項は、取付け本体１０の凹所１５の内壁底面１５ａに弾性の板状保持部材３５を固定したことである。なお、この第２実施例では電源ボックス２２の対向側壁及び仕切り壁２８に所定長さの切欠３６を形成することによって、弾性の板状保持部材３５が確実に電源２７を押さえ付けることができるように工夫をしている。このように構成すると、電源手段の装着時、電源ボックスに内装された電源の外面が該板状保持部材に接触状態で保持される（図１３参照）。
【００３５】
次に、図１４乃至図１５は、係合或いは嵌合方式の脱着構成に代えて、ヒンジ軸方式にした第３実施例である（重複部分は援用する。また同一構成の符号は便宜上、第１実施例と同じ）。
【００３６】
この第３実施例が第１実施例と主に異なる事項は、電源手段１１Ａが、取付け本体１０Ａに基端部が左右一対のヒンジ軸４１を介して枢着された取付けベース板２１Ａと、この取付けベース板２１Ａの内面に固定された電源ボックス２２とから成る。
【００３７】
そして、取付けベース板２１Ａの開閉は、取付けベース板２１Ａの自由端部と取付け本体１０Ａの凹所１５の縁部にそれぞれ設けた係合手段（例えば取付けベース板２１Ａの弾性係合爪２３Ａと取付け本体１０Ａの係合孔１９Ａ）を介してなされる。このように構成することによっても、本発明の所期の目的を達成することができる。
【００３８】
最後に、図１６は、錠前用給電システムの構成要件が異なる場合の実施例を示す（重複部分は援用する。また同一構成の符号は便宜上、第１実施例と同じ）。
【００３９】
第１実施例の錠前用給電システムＸは、「駆動源５の駆動力により駆動する施・解錠手段８と、この施・解錠手段を介して前記錠前４の錠箱４ａから出没する施錠片９と」が発明の前提要件であるが、第４実施例の錠前用給電システムＸ１は、（ａ）駆動源５と施・解錠手段８との間にロック手段８ａを介在させ、（ｂ）また、前記施錠片９を操作部材９Ａに置換している。
【００４０】
この錠前用給電システムＸ１は、例えば室内で操作部材９Ａを施・解錠するために使用する場合に適合し、前記駆動源５は、例えばソレノイドであり、また、前記ロック手段８ａは、ソレノイドの作動杆の伸縮動によって作動し、かつ、施・解錠手段（ダルマ）８をロックするロックアームであり、さらに、前記操作部材９Ａは、サムターンやハンドルである。
【００４１】
上記構成においては、制御部によって制御されるソレノイドが伸縮動すると、ダルマ８はロックアーム８ａによってロックされ、又はそのロックが解消する。その結果、ダルマ８に連結（例えば直結）するサムターンやハンドルの回転操作ができなり、又は回転操作が可能となる。このように、発明の前提要件を置換しても、本発明の本質的事項は変わらない。
【産業上の利用可能性】
【００４２】
本発明は、主に錠前や建具の業界で利用される。
【図面の簡単な説明】
【００４３】
図１乃至図１０は本発明の最良の実施例（第１実施例）を示す各説明図。図１１乃至図１３は本発明の第２実施例を示す各説明図。図１４乃至図１５は、本発明の第３実施例を示す各説明図。図１６は本発明の第４実施例を示す概略説明図。
【図１】発明の実施の環境を示す各概略説明図。
【図２】取付け本体の正面視からの概略説明図。
【図３】主要部の縦断面概略説明図。
【図４】取付け本体の電源収納部から電源手段を引き抜いた状態の概略説明図。
【図５】取付け本体の要部を内面（背面）側から見た説明図。
【図６】電源手段の分解説明図。
【図７】電源側から見た電源手段の説明図。
【図８】図７の左側面視からの説明図。
【図９】電源手段が取付け本体に対して脱着自在に圧着固定される旨の説明図。
【図１０】電源手段を装着した場合における取付け本体の内面側から見た状態の説明図。
【図１１】本発明の第２実施例の概略断面説明図。
【図１２】電源手段を外した場合の取付け本体の内面視の説明図。
【図１３】板状保持部材が電源ボックス内の電源を押え付ける旨の説明図。
【図１４】本発明の第３実施例を示す電源手段の図。
【図１５】開閉状態を示す概略説明図。
【図１６】本発明の第４実施例を示す概略説明図。
【符号の説明】
【００４４】
Ｘ、Ｘ１…給電システム、１…開閉体、１ａ…外壁面（内壁面）、２…戸枠側の壁、４…錠前、４ａ…錠箱、５…駆動源、６…制御部、７…入力部、８…施・解錠手段、８ａ…ロック手段、９…施錠片、９Ａ…操作部材、１０、１０Ａ…取付け本体（取付け座板）、１０ａ…外壁面、１０ｂ…内壁面（内面）、１１、１１Ａ…電源手段、１２…操作部材、１５…電源収納部（凹所）、１５ａ…内壁底面、１５ｂ…段差状の左右内壁側面、１６…軸受け部、１７…支持部、１８…浅い切欠部分、１９…支持穴、１９Ａ…係合孔、２１、２１Ａ…取付けベース板、２１ｂ…把手部分、２１ｅ…突片部分、２２…電源ボックス、２３…取付け柱、２３ａ…嵌合溝、２３Ａ…係合爪、２５…圧着手段、２７…電源、３５…板状保持部材、４１…ヒンジ軸。
【図１】
2008174994.tif 000003
【図２】
2008174994.tif 000004
【図３】
2008174994.tif 000005
【図４】
2008174994.tif 000006
【図５】
2008174994.tif 000007
【図６】
2008174994.tif 000008
【図７】
2008174994.tif 000009
【図８】
2008174994.tif 000010
【図９】
2008174994.tif 000011
【図１０】
2008174994.tif 000012
【図１１】
2008174994.tif 000013
【図１２】
2008174994.tif 000014
【図１３】
2008174994.tif 000015
【図１４】
2008174994.tif 000016
【図１５】
2008174994.tif 000017
【図１６】
2008174994.tif 000018